(57)【特許請求の範囲】
【請求項１】
全周が陶器で形成された便器の施工をサポートする便器施工サポート材であって、
第１方向に延びると共に前記第１方向に交差する第２方向に離間して配置される一対の支持部と、
前記一対の支持部を前記第２方向につなぐ連結部と、
前記一対の支持部のそれぞれに設けられ前記一対の支持部の外側の側部から内側に窪む又は貫通すると共に前記一対の支持部の上面から下方に窪む凹部と、を有する便器施工サポート材。
【請求項２】
前記凹部は、前記便器施工サポート材における前記第１方向の中央よりも、前記便器を前記便器施工サポート材に配置した場合の前記便器の前後方向の後方側に配置される請求項１に記載の便器施工サポート材。
【請求項３】
前記連結部は、前記便器施工サポート材に前記便器を配置した場合に、前記便器の前方側に位置するように配置される請求項１又は２に記載の便器施工サポート材。
【請求項４】
前記便器は、底部における該便器の前後方向に直交する幅方向の両端部において下方に突出すると共に所定幅で前後方向に延びる一対の足部を有し、
前記足部における前後方向の中央部の幅は、前記足部における前後方向の端部側の部分の幅よりも大きく形成される請求項１から３のいずれかに記載の便器施工サポート材。
【請求項５】
全周が陶器で形成された便器の施工をサポートする便器施工サポート材を使用して便器を設置する便器の施工方法であって、
前記便器施工サポート材は、第１方向に延びると共に前記第１方向に交差する第２方向に離間して配置される一対の支持部と、前記一対の支持部を前記第２方向につなぐ連結部と、前記一対の支持部のそれぞれに設けられ前記一対の支持部の外側の側部から内側に窪む又は貫通すると共に前記一対の支持部の上面から下方に窪む凹部と、を有し、
前記便器を持ち上げて前記便器施工サポート材を前記便器の下方に設置し、前記便器を前記凹部の上部に位置するように配置し、前記便器施工サポート材の側部の外側から前記凹部に手を挿入して前記便器の底部に手を掛けて、前記便器を手で持ち上げて前記便器を設置場所に設置する、便器の施工方法。
【請求項６】
全周が陶器で形成される便器であって底部における該便器の前後方向に直交する幅方向の両端部において下方に突出すると共に所定幅で前後方向に延びる一対の足部を有する便器と、
第１方向に延びると共に前記第１方向に交差する第２方向に離間して配置される一対の支持部と、前記一対の支持部を前記第２方向につなぐ連結部と、前記一対の支持部のそれぞれに設けられ前記一対の支持部の外側の側部から内側に窪む又は貫通すると共に前記一対の支持部の上面から下方に窪む凹部と、を有する便器施工サポート材と、を備える便器施工サポートキットであって、
前記便器及び前記便器施工サポート材は、同梱されており、
前記足部における前後方向の中央部の幅は、前記足部における前後方向の端部側の部分の幅よりも大きく形成される便器施工サポートキット。
【発明の詳細な説明】
【技術分野】
【０００１】
本発明は、便器施工サポート材、便器、及び便器施工サポートキットに関する。
【背景技術】
【０００２】
従来、便器の施工をサポートする便器施工サポート材として、便器の側面の窪みに引っ掛けた状態で取り付けられて使用されるものが知られている（例えば、特許文献１参照）。特許文献１に記載の技術では、便器に便器施工サポート材を取り付けた状態で、便器を設置場所に移動させて、便器を設置場所に施工することができる。
【先行技術文献】
【特許文献】
【０００３】
【特許文献１】特開２０１５−１０３１６号公報
【発明の概要】
【発明が解決しようとする課題】
【０００４】
特許文献１に記載の便器施工サポート材は、便器の側面の窪みに引っ掛けて取り付けるため、便器の外観形状によっては、取り付けられない可能性がある。
そのため、便器の外観形状に関係なく、便器を容易に施工できる便器施工サポート材が望まれる。
【０００５】
本発明は、便器の外観形状に関係なく、便器を容易に施工できる便器施工サポート材、便器、及び便器施工サポートキットを提供することを目的とする。
【課題を解決するための手段】
【０００６】
本発明は、全周が陶器で形成された便器（例えば、後述の便器２）の施工をサポートする便器施工サポート材（例えば、後述の便器施工サポート材１０）であって、第１方向（例えば、後述の第１方向Ｄ１）に延びると共に前記第１方向に交差する第２方向（例えば、後述の第２方向Ｄ２）に離間して配置される一対の支持部（例えば、後述の支持部２０）と、前記一対の支持部を前記第２方向につなぐ連結部（例えば、後述の連結部３０）と、前記一対の支持部のそれぞれに設けられ前記一対の支持部の外側の側部から内側に窪む又は貫通すると共に前記一対の支持部の上面から下方に窪む凹部（例えば、後述の側部凹部２３１）と、を有する便器施工サポート材に関する。
【０００７】
また、前記凹部は、前記便器施工サポート材における前記第１方向の中央よりも、前記便器を前記便器施工サポート材に配置した場合の前記便器の前後方向（例えば、後述の前後方向Ｙ）の後方側（例えば、後述の後方側Ｙ２）に配置されることが好ましい。
【０００８】
また、前記連結部は、前記便器施工サポート材に前記便器を配置した場合に、前記便器の前方側（例えば、後述の前方側Ｙ１）に位置するように配置されることが好ましい。
【０００９】
また、前記便器は、底部における該便器の前後方向に直交する幅方向（例えば、後述の左右方向Ｘ）の両端部において下方に突出すると共に所定幅で前後方向に延びる一対の足部（例えば、後述の前後延在足部５１）を有し、前記足部における前後方向の中央部（例えば、後述の中央足部分５１１）の幅は、前記足部における前後方向の端部側の部分（例えば、後述の後端部分５１２又は前端部分５１３）の幅よりも大きく形成されることが好ましい。
【００１０】
また、本発明は、便器施工サポート材を用いて施工され全周が陶器で形成された便器（例えば、後述の便器２）であって、前記便器施工サポート材は、第１方向に延びると共に前記第１方向に交差する第２方向に離間して配置される一対の支持部と、前記一対の支持部を前記第２方向につなぐ連結部と、前記一対の支持部のそれぞれに設けられ前記一対の支持部の外側の側部から内側に窪む又は貫通すると共に前記一対の支持部の上面から下方に窪む凹部と、を有し、前記便器は、底部における該便器の前後方向に直交する幅方向の両端部において下方に突出すると共に所定幅で前後方向に延びる一対の足部を有し、前記足部における前後方向の中央部の幅は、前記足部における前後方向の端部側の部分の幅よりも大きく形成される便器に関する。
【００１１】
また、本発明は、全周が陶器で形成される便器であって底部における該便器の前後方向に直交する幅方向の両端部において下方に突出すると共に所定幅で前後方向に延びる一対の足部を有する便器と、第１方向に延びると共に前記第１方向に交差する第２方向に離間して配置される一対の支持部と、前記一対の支持部を前記第２方向につなぐ連結部と、前記一対の支持部のそれぞれに設けられ前記一対の支持部の外側の側部から内側に窪む又は貫通すると共に前記一対の支持部の上面から下方に窪む凹部と、を有する便器施工サポート材と、を備える便器施工サポートキットであって、前記便器及び前記便器施工サポート材は、同梱されており、前記足部における前後方向の中央部の幅は、前記足部における前後方向の端部側の部分の幅よりも大きく形成される便器施工サポートキットに関する。
【発明の効果】
【００１２】
本発明によれば、便器の外観形状に関係なく、便器を容易に施工できる便器施工サポート材、便器、及び便器施工サポートキットを提供することができる。
【図面の簡単な説明】
【００１３】
【図１】本発明の一実施形態に係る便器２を含む便器装置１及び便器施工サポート材１０を備える便器施工サポートキット１００を示す斜視図である。
【図２】本発明の一実施形態に係る便器２を底部側から視た図である。
【図３】便器施工サポート材１０を使用して便器装置１を施工する施工方法を説明する図であって、便器装置１を便器施工サポート材１０の上部に配置する手順を説明する図である。
【図４】便器施工サポート材１０を使用して便器装置１を施工する施工方法を説明する図であって、便器装置１を便器施工サポート材１０の上部に配置した状態で設置場所に移動する手順を説明する図である。
【図５】便器施工サポート材１０を使用して便器装置１を施工する施工方法を説明する図であって、便器施工サポート材１０の側部凹部２３１に手を入れて、便器２の底部に手を掛けた状態を説明する図である。
【図６】便器施工サポート材１０を使用して便器装置１を施工する施工方法を説明する図であって、便器装置１が設置場所に設置された図である。
【図７】トイレ室７０において、水平延在管７５１を有する排水ソケット７５を、トイレ室側排水管７２に取り付けた状態を示す斜視図である。
【発明を実施するための形態】
【００１４】
以下、本発明の便器装置１及び便器施工サポート材１０を含む便器施工サポートキット１００の一実施形態について、図面を参照しながら説明する。なお、以下の説明においては、便器装置１の便座（図示せず）に座った人から視た場合の前後の向きを前後方向Ｙとする。本実施形態においては、前方側を前方側Ｙ１とし、後方側を後方側Ｙ２とする。また、便器装置１の便座（図示せず）に座った人から視た場合の左右の向きを左右方向Ｘとする。
【００１５】
また、便器施工サポート材１０の一対の支持部２０，２０が延びる方向を第１方向Ｄ１とし、第１方向Ｄ１における連結部３０が配置される側を連結側Ｄ１１、第１方向Ｄ１における連結側Ｄ１１と反対側を非連結側Ｄ１２とする。また、便器施工サポート材１０の第１方向Ｄ１に直交（交差）する方向であって一対の支持部２０，２０が離間する方向を第２方向Ｄ２とする。
便器装置１及び便器施工サポート材１０において、鉛直方向に沿った上下の向きを上下方向Ｚとする。
【００１６】
便器装置１が便器施工サポート材１０の上部に配置された状態においては、便器装置１の前後方向Ｙ、前方側Ｙ１、後方側Ｙ２、左右方向Ｘは、それぞれ、便器施工サポート材１０の第１方向Ｄ１、連結側Ｄ１１、非連結側Ｄ１２、第２方向Ｄ２と一致する。
【００１７】
（便器施工サポートキット１００）
本実施形態の便器施工サポートキット１００は、図１に示すように、便器２を含む便器装置１、便器施工サポート材１０、及び、図示は省略するが、その他の梱包材や施工説明書等が、同梱されている。便器施工サポートキット１００は、便器装置１、便器施工サポート材１０、及び、その他の梱包材や施工説明書等が同梱された状態で、出荷されて、施工される現場に搬送される。
【００１８】
（便器装置１）
便器装置１は、図１及び図２に示すように、便器２と、便座（図示せず）と、便蓋３と、機能部４と、を備える。便座（図示せず）及び便蓋３は、便器２の上方において、便器２に対して回動可能に取り付けられる。また、便器装置１は、図２に示すように、洗浄水を外部に排出する便器側排水管６を備える。便器側排水管６は、図２及び図３に示すように、便器装置１の前後方向Ｙの中央よりも後方側Ｙ２において、便器装置１の下方に開口する管状に形成される。
【００１９】
便器２は、全周が衛生陶器で形成され、周方向において衛生陶器で囲われる。便器２は、図２に示すように、底部において、便器２の足部を構成する周壁足部５０を有する。周壁足部５０は、便器２の周壁の下部において、所定幅で、便器２の周方向に沿って全周に亘って形成される。周壁足部５０は、一対の前後延在足部（足部）５１，５１と、前方足部５２と、後方足部５３と、を有する。
【００２０】
一対の前後延在足部５１，５１は、底部における便器２の前後方向Ｙに直交する左右方向Ｘ（幅方向）の両端部に配置される。一対の前後延在足部５１，５１は、それぞれ、下方に突出すると共に所定幅で前後方向Ｙに延びる。
【００２１】
前後延在足部５１における前後方向Ｙの中央部の中央足部分５１１の幅Ｈ１は、図２に示すように、前後延在足部５１における前後方向Ｙの後方側Ｙ２の端部側の後端部分５１２の幅Ｈ２よりも大きく形成され、又は、前後延在足部５１における前後方向Ｙの前方側Ｙ１の端部側の前端部分５１３の幅Ｈ３よりも大きく形成される。前後延在足部５１における中央足部分５１１の幅Ｈ１の大きさは、手を掛けても手が痛くならない程度の大きさであることが好ましい。
【００２２】
前方足部５２は、便器２の前後方向Ｙの前方側Ｙ１の端部に配置され、一対の前後延在足部５１，５１の前方側Ｙ１の端部同士をつなぐ。前方足部５２は、所定幅で形成され、前方側Ｙ１に凸となるように略Ｕ字状に湾曲して延びる。
【００２３】
後方足部５３は、便器２の前後方向Ｙの後方側Ｙ２の端部に配置され、一対の前後延在足部５１，５１を後方側Ｙ２の端部同士をつなぐ。後方足部５３は、所定幅で形成され、左右方向Ｘに延びる。
【００２４】
機能部４は、図１に示すように、便器２の後部の上部に配置される。機能部４は、機能部材（図示せず）と、機能部材を覆うカバー部材４１と、を有する。機能部材としては、例えば、図示を省略するが、ホースや、洗浄ノズルや、電源ユニットや、制御回路基板や、便座（図示せず）及び便蓋３を電動で開閉させる電動開閉ユニットや、バルブユニットや、各種配管等が挙げられる。
【００２５】
（便器施工サポート材１０）
便器施工サポート材１０は、例えば、板材を組み合わせることや、段ボールを組み合わせることや、樹脂や木材や金属などで形成される。便器施工サポート材１０は、図１に示すように、一対の支持部２０，２０と、連結部３０と、を備える。
【００２６】
一対の支持部２０，２０は、第１方向Ｄ１に延びると共に、第１方向Ｄ１に直交（交差）する第２方向Ｄ２に離間して配置される。一対の支持部２０，２０は、便器施工サポート材１０における第２方向Ｄ２の中央を挟んで対称になるように、同一の形状に形成される。一対の支持部２０，２０は、便器２が一対の支持部２０，２０の両方に跨って載置される距離だけ離間して配置される。
【００２７】
支持部２０は、第１載置台部２１と、第２載置台部２２と、載置台接続部２３と、を有する。第１載置台部２１、載置台接続部２３及び第２載置台部２２は、第１方向Ｄ１における連結側Ｄ１１から非連結側Ｄ１２に向けてこの順に並んで配置される。
【００２８】
第１載置台部２１は、第１方向Ｄ１の連結側Ｄ１１に配置され、直方体形状に形成される。
第２載置台部２２は、載置台接続部２３を介して、第１載置台部２１に接続される。第２載置台部２２は、第１方向Ｄ１の非連結側Ｄ１２に配置され、直方体形状に形成される。第２載置台部２２は、第１載置台部２１と上下方向Ｚの高さが同じで、第１載置台部２１よりも第２方向Ｄ２の長さが短く、第１載置台部２１よりも第１方向Ｄ１の長さが短く形成される。
【００２９】
載置台接続部２３は、第１方向Ｄ１及び第２方向Ｄ２に平行で水平に延びる板状に形成され、第１載置台部２１と第２載置台部２２とを第１方向Ｄ１につなぐ。載置台接続部２３は、第１載置台部２１及び第２載置台部２２よりも高さが低い板状に形成される。載置台接続部２３は、第１載置台部２１と第２載置台部２２とを下部において接続する。
【００３０】
このように構成される第１載置台部２１、載置台接続部２３及び第２載置台部２２は、底面が同一平面上に配置されるように接続され、第２方向Ｄ２の外側の端部の側面が同一平面上に配置されるように接続される。
【００３１】
第１載置台部２１の非連結側Ｄ１２の側面、第２載置台部２２の連結側Ｄ１１の側面及び載置台接続部２３の上面で区画された空間は、凹部としての側部凹部２３１を構成する。側部凹部２３１は、支持部２０に設けられ、支持部２０の外側の側部から内側に貫通すると共に、支持部２０の上面から下方に窪む。
【００３２】
側部凹部２３１は、便器施工サポート材１０の上部に便器装置１を配置した場合に、便器２の底部と載置台接続部２３の上面との間の部分である（図４参照）。側部凹部２３１は、便器施工サポート材１０の上部に便器装置１を配置した場合に、便器２の底部の下方に、便器２の左右方向Ｘの両側において、一対の支持部２０，２０の外側の側方から手を挿入できる空間で構成される。側部凹部２３１は、第１方向Ｄ１において、便器施工サポート材１０における第１方向Ｄ１の中央よりも、便器２を便器施工サポート材１０に配置した場合の便器２の前後方向Ｙの後方側Ｙ２（便器施工サポート材１０の第１方向Ｄ１の非連結側Ｄ１２）に配置される。これにより、便器施工サポート材１０の上部に便器装置１を配置した場合に、便器２の前後方向Ｙの中央Ｃが側部凹部２３１の上方に位置するように配置される（図４参照）。
【００３３】
連結部３０は、図１に示すように、第１方向Ｄ１の連結側Ｄ１１において、一対の支持部２０，２０における第１載置台部２１，２１同士を第２方向Ｄ２につなぐ。連結部３０は、第１方向Ｄ１及び第２方向Ｄ２に平行で水平に延びる板状に形成され、第１載置台部２１よりも高さが低い板状に形成される。連結部３０は、一対の第１載置台部２１，２１同士を下部において接続する。
【００３４】
一対の第１載置台部２１，２１の内側の側面及び連結部３０の上面で区画された空間は、連結部凹部３１を構成する。連結部凹部３１は、便器施工サポート材１０の第１方向Ｄ１の連結側Ｄ１１側の端部において、便器施工サポート材１０における第２方向Ｄ２の中央に形成され、一対の第１載置台部２１，２１の上面の位置から下方に窪んで形成される。
【００３５】
便器施工サポート材１０における第１方向Ｄ１の非連結側Ｄ１２において、一対の支持部２０，２０の間には、底部開放部２１０が形成される。底部開放部２１０は、一対の支持部２０，２０の間における便器施工サポート材１０の非連結側Ｄ１２において、便器施工サポート材１０を上下方向Ｚに貫通して形成されると共に、便器施工サポート材１０の非連結側Ｄ１２が開放して形成される。
【００３６】
（便器施工サポート材１０を使用した便器装置１の施工方法）
次に、便器施工サポート材１０を使用して、便器２を含む便器装置１をトイレ室７０の設置位置に設置する施工方法について説明する。
本実施形態の便器装置１は、便器２と機能部４とが、工場で組み付けられて一体的に構成される。そのため、便器装置１において、機能部４が便器２の上部に配置されており、便器２の上部が機能部４に覆われているため、便器２の上部側に手を掛け難くなり、便器２に手を掛ける部分が少なくなる。これにより、便器２を持ち上げることが難くなり、便器装置１を設置する現場において、便器装置１を設置位置に設置することが難しくなる。
【００３７】
ここで、便器装置１をトイレ室７０の設置位置に設置する場合に、本発明の便器施工サポート材１０を使用することができる。トイレ室７０の設置位置の床７１には、図４に示すように、トイレ室側排水管７２が設けられており、トイレ室側排水管７２には、排水ソケット７４が取り付けられている。排水ソケット７４は、トイレ室側排水管７２から上方に湾曲して延びる管状に形成され、上方に向けて開口している。排水ソケット７４は、便器装置１を設置位置に設置する場合に、便器装置１の便器側排水管６（図２参照）に接続される。
【００３８】
まず、図３に示すように、作業者は、便器２を含む便器装置１及び便器施工サポート材１０が同梱された便器施工サポートキット１００を開梱する。便器装置１の出荷時において、便器２の上部には、機能部４が取り付けられている。
【００３９】
そして、作業者は、図３に示すように、便器装置１をトイレ室７０の床７１に載置し、便器２の前方側Ｙ１の下部に手を掛けて便器２を持ち上げて、便器２の下方の前方側Ｙ１から、便器施工サポート材１０を挿入する。便器２の下方には、便器施工サポート材１０の非連結側Ｄ１２から便器施工サポート材１０を挿入する。これにより、便器施工サポート材１０の上部には、一対の支持部２０，２０の第２載置台部２２，２２側から、便器装置１が載せられる。そして、作業者は、便器施工サポート材１０の上部において、便器２を、便器２の前後方向Ｙの中央Ｃが便器施工サポート材１０の側部凹部２３１の上部に位置するまで、第１方向Ｄ１にスライド移動させる。
【００４０】
便器２を第１方向Ｄ１に移動させることで、図４に示すように、便器２の前後方向Ｙの中央Ｃが側部凹部２３１の上部に位置するように配置される。この状態においては、便器施工サポート材１０には、便器２の左右方向Ｘの両端部において一対の支持部２０，２０により支持されると共に、便器２の前後方向Ｙにおいて一対の支持部２０，２０における第１載置台部２１の上面及び第２載置台部２２の上面に跨って載置されて支持される。
【００４１】
次に、図４及び図５に示すように、作業者は、便器施工サポート材１０の上部に便器装置１が配置された状態で、便器施工サポート材１０及び便器装置１を一体として、トイレ室７０の壁７３側の設置位置においてトイレ室側排水管７２に取り付けられた排水ソケット７４の手前まで移動させる。
【００４２】
次に、図５に示すように、作業者は、便器施工サポート材１０の上部に便器装置１の便器２を配置した状態で、便器２の左右方向Ｘの両側において、それぞれ、便器施工サポート材１０の側部の外側から側部凹部２３１に手を挿入して、便器２の底部を構成する周壁足部５０の一対の前後延在足部５１，５１の中央足部分５１１に手を掛ける。そして、作業者は、便器２を手で持ち上げて、便器装置１の便器側排水管６を、トイレ室側排水管７２に取り付けられた排水ソケット７４に嵌めて取り付ける。同時に、作業者は、便器施工サポート材１０を便器装置１の下方から、便器施工サポート材１０を第１方向Ｄ１の連結側Ｄ１１に移動させることで、便器２の下方から、便器施工サポート材１０を取り外す。これにより、図６に示すように、便器装置１（便器２）をトイレ室７０の設置場所に設置できる。
【００４３】
ここで、便器２の底部を構成する周壁足部５０の一対の前後延在足部５１，５１における前後方向Ｙの中央部の中央足部分５１１の幅Ｈ１は、前後延在足部５１における前後方向Ｙの端部側の後端部分５１２，前端部分５１３の幅Ｈ２，Ｈ３よりも大きく形成される（図２参照）。そのため、作業者が便器２を持ち上げる際に、幅Ｈ１が広い中央足部分５１１に手を掛けて持ち上げることができるため、手を掛けやすく、手を痛めることを低減できる。
また、便器施工サポート材１０に便器２を上部に配置した場合に、便器２の前後方向Ｙの中央Ｃに、側部凹部２３１が配置される。これにより、便器２の前後方向Ｙの中央Ｃの位置で、便器２の底部に手を掛けて、安定したバランスのよい状態で、便器２を容易に持ち上げることができる。
【００４４】
また、本実施形態においては、トイレ室７０における便器装置１の設置位置は、便器２の後部がトイレ室７０の壁７３側に位置し、便器装置１の後部とトイレ室７０の壁７３との間の隙間が小さい（図６参照）。このように、便器装置１とトイレ室７０の壁７３との間の隙間が小さい場合においても、便器装置１を載せた便器施工サポート材１０をトイレ室７０の壁７３側に移動させればよいため、便器装置１をトイレ室７０の壁７３の近くに容易に設置できる。
以上のようにして、便器施工サポート材１０を使用して、便器２を含む便器装置１をトイレ室７０の設置位置に設置できる。
【００４５】
以上説明した本実施形態の便器施工サポート材１０によれば、以下のような効果を奏する。
本実施形態の便器施工サポート材１０は、全周が陶器で形成された便器２の施工をサポートする便器施工サポート材１０であって、第１方向Ｄ１に延びると共に第１方向Ｄ１に交差する第２方向Ｄ２に離間して配置される一対の支持部２０，２０と、一対の支持部２０，２０を第２方向Ｄ２につなぐ連結部３０と、一対の支持部２０，２０のそれぞれに設けられ一対の支持部２０，２０の外側の側部から内側に貫通すると共に一対の支持部２０，２０の上面から下方に窪む側部凹部２３１と、を有する。
そのため、便器施工サポート材１０の上部に便器２を配置した状態で、便器施工サポート材１０の側部の外側から側部凹部２３１に手を挿入して、便器２の底部に手を掛けることで、便器２を容易に持ち上げることができる。これにより、便器２の外観形状に関係なく、便器施工サポート材１０を用いて、便器２を設置場所に容易に設置できる。
【００４６】
また、本実施形態の便器施工サポート材１０においては、側部凹部２３１は、便器施工サポート材１０における第１方向Ｄ１の中央よりも、便器２を便器施工サポート材１０に配置した場合の便器２の前後方向Ｙの後方側Ｙ２に配置される。そのため、便器施工サポート材１０に便器２を上部に配置した場合に、便器２の前後方向Ｙの中央Ｃに、側部凹部２３１が配置される。これにより、便器２の前後方向Ｙの中央Ｃの位置で、便器２の底部に手を掛けて、安定したバランスのよい状態で、便器２を容易に持ち上げることができる。
【００４７】
また、本実施形態の便器施工サポート材１０においては、連結部３０は、便器施工サポート材１０に便器２を配置した場合に、便器２の前方側Ｙ１に位置するように配置される。そのため、便器施工サポート材１０の第１方向Ｄ１の非連結側Ｄ１２が底部開放部２１０により開放されているため、便器施工サポート材１０を便器２の下部から取り外す際に、便器施工サポート材１０を、連結部３０が配置される第１方向Ｄ１の連結側Ｄ１１（便器２の前後方向の前方側Ｙ１）に移動させることができる。これにより、便器施工サポート材１０を便器２の下部から容易に取り外すことができる。
【００４８】
また、便器２は、底部における便器２の左右方向Ｘの両端部において下方に突出すると共に所定幅で前後方向に延びる一対の前後延在足部５１，５１を有し、前後延在足部５１における前後方向Ｙの中央部の中央足部分５１１の幅は、前後延在足部５１における前後方向Ｙの端部側の後端部分５１２，前端部分５１３の幅よりも大きく形成される。そのため、作業者が便器２を持ち上げる際に、幅Ｈ１が広い中央足部分５１１に手を掛けて持ち上げることができるため、手を掛けやすく、手を痛めることを低減できる。
【００４９】
また、便器施工サポート材１０においては、第１方向Ｄ１の非連結側Ｄ１２において、一対の支持部２０，２０の間に、底部開放部２１０が形成される。
ここで、例えば、図７に示すような水平延在管７５１を有する排水ソケット７５を用いて、便器装置１の便器側排水管６とトイレ室側排水管７２とを接続することがある。図７に示すように、排水ソケット７５の水平延在管７５１は、排水ソケット７５の途中において、床７１に対して水平に延びる管状に形成され、トイレ室側排水管７２から便器装置１の後方側に向けて延びる。トイレ室側排水管７２の位置に応じて水平延在管７５１の長さを調整する（例えば、切断する）ことで、便器装置１を排水ソケット７５に接続した場合において、トイレ室７０の壁７３から便器装置１の後部までの距離を調整できる。
【００５０】
このような排水ソケット７５がトイレ室側排水管７２に取り付けられる場合において、便器施工サポート材１０を使用して便器装置１を施工する場合には、便器施工サポート材１０の底部開放部２１０に、排水ソケット７５の水平延在管７５１の一部を配置することができる。これにより、便器施工サポート材１０の上部に便器装置１を配置した状態で、便器施工サポート材１０を第１方向Ｄ１の設置位置に移動させると、底部開放部２１０には、便器装置１の後方側Ｙ２の下方において、トイレ室７０のトイレ室側排水管７２に取り付けられた排水ソケット７４の水平延在管７５１の一部が入り込む。従って、便器施工サポート材１０を用いることで、底部開放部２１０により、排水ソケット７５の水平延在管７５１の一部を避けて、便器２を含む便器装置１をトイレ室７０の設置位置に容易に設置できる。
【００５１】
以上、本発明の便器装置１の好ましい実施形態について説明したが、本発明は、上述した実施形態に制限されるものではなく、適宜変更が可能である。
例えば、前記実施形態においては、側部凹部２３１を、支持部２０の外側の側部から内側に貫通するように構成したが、これに限定されない。側部凹部２３１を、支持部２０の外側の側部から内側に窪むように構成してもよい。
【符号の説明】
【００５２】
１  便器装置
２  便器
１０  便器施工サポート材
２０  支持部
３０  連結部
５１  前後延在足部（足部）
１００  便器施工サポートキット
２３１  側部凹部（凹部）
５１１  中央足部分（中央部）
５１２  後端部分（端部側の部分）
５１３  前端部分（端部側の部分）
Ｃ  中央
Ｄ１  第１方向
Ｄ２  第２方向
Ｘ  左右方向（幅方向）
Ｙ  前後方向
Ｙ１  前方側
Ｙ２  後方側
【図１】
0006676436.tif 000002
【図２】
0006676436.tif 000003
【図３】
0006676436.tif 000004
【図４】
0006676436.tif 000005
【図５】
0006676436.tif 000006
【図６】
0006676436.tif 000007
【図７】
0006676436.tif 000008